(57)【要約】【課題】陰極線管ネック内に配置される電子銃に金属性リングを配置し、外部からこの金属性リングを加熱し、ネック内壁及び分圧用抵抗器表面に金属蒸着膜を形成してネック内壁の電位を低下させていたが、この金属性リングが抵抗器と接触しているために、耐電圧処理時に印加する交流高電圧によってグロー放電が発生し、抵抗器が絶縁破壊されていたが、この抵抗器の絶縁破壊を防止して耐電圧特性を向上させた陰極線管を提供する。【解決手段】陰極線管ネック１９内に配置される電子銃２１を構成する各グリッド電極Ｇ１〜Ｇ８を絶縁支持体２３によって保持し、この絶縁支持体２３及び所定のグリッド電極に分圧電圧を供給する抵抗器２４を囲むように所定の間隔Ｌだけ離間して金属性リング２９を配設し、この間隔Ｌを０．００５ｍｍ≦Ｌ≦２．０ｍｍに設定する。【選択図】　図１
2004095284.tif 000002
【特許請求の範囲】
【請求項１】
略矩形状のフェースパネルと、
このフェースパネルに連接する漏斗状のファンネルと、
このフェースパネル内面に形成された蛍光体スクリーンと、
前記ファンネルのネック内に配置され、電子ビームを形成及び前記蛍光体スクリーン上に集束させる複数のグリッド電極を絶縁支持体によって保持するように構成された電子銃と、
この電子銃の選択されたグリッド電極に分圧電圧を供給する前記絶縁支持体上に配設された抵抗器と、
この抵抗器に略直交する方向に抵抗器及び前記絶縁支持体を囲むように配設された金属性リングとを有する陰極線管において、
前記金属性リングを少なくとも前記抵抗器の対向する表面との間の全ての領域に亘って所定の間隔だけ離間させて配置したことを特徴とする陰極線管。
【請求項２】
前記金属性リングと前記抵抗器との間隔Ｌを、少なくとも前記抵抗器の主面上において０．００５ｍｍ≦Ｌ≦２．０ｍｍに設定したことを特徴とする請求項１記載の陰極線管。
【請求項３】
前記金属性リングと前記抵抗器並びに絶縁支持体との間隔Ｌを、前記抵抗器並びに絶縁支持体と対向する金属性リングの全ての領域において０．００５ｍｍ≦Ｌ≦２．０ｍｍに設定したことを特徴とする請求項１記載の陰極線管。
【発明の詳細な説明】
【０００１】
【発明の属する技術分野】
本発明は、カラーテレビジョン受像機等に使用される陰極線管に係り、特に電子銃構体の金属性リングを加熱させてネック内壁及び抵抗器表面上に金属蒸着膜を形成した陰極線管に関する。
【０００２】
【従来の技術】
現在、一般的なカラーテレビジョン受像機等に使用されているカラー陰極線管は、図７に示すように、略矩形状を呈するフェースパネル６１と、このフェースパネル６１に一体的に接合された漏斗状のファンネル６２からなる外囲器を有し、そのフェースパネル６１の内面に、青、緑、赤に発光するストライプ状あるいはドット状の３色蛍光体層からなる蛍光体スクリーン６３が形成され、この蛍光体スクリーン６３に対向して、その内側に多数のアパーチャの形成されたシャドウマスク６４が装着されている。
【０００３】
一方、ファンネル６２のネック６５内には、３電子ビーム６６Ｂ，６６Ｇ，６６Ｒを放出する水平方向に一列に配列されたインライン型の電子銃６７が配設され、この電子銃６７から放出される３電子ビーム６６Ｂ，６６Ｇ，６６Ｒを、ファンネル６２の外側に装着された偏向ヨーク６８の発生する水平及び垂直偏向磁界によって偏向し、シャドウマスク６４を介して蛍光体スクリーン６３を、水平、垂直走査することによって、蛍光体スクリーン６３上にカラー画像を表示するように構成されている。
【０００４】
このようなカラー陰極線管においては、特に電子銃６７を同一水平面上を通るセンタービーム６６Ｇ、及びその両側の一対のサイドビーム６６Ｂ，６６Ｒを放出するインライン型の電子銃６７として構成し、電子銃６７の主レンズ部分の低圧側と高圧側の電極のサイドビーム通過孔の位置を偏心させることによって、蛍光体スクリーン６３中央において３本の電子ビーム６６Ｂ，６６Ｇ，６６Ｒを集中させ、偏向ヨーク６８の発生する水平偏向磁界をピンクッション形に、また垂直偏向磁界をバレル形に構成することで、一列配置の３電子ビーム６６Ｂ，６６Ｇ，６６Ｒを画面全域で自己集中させるセルフコンバーゼンス方式のカラー陰極線管が広く実用化されている。
【０００５】
このようなカラー陰極線管に使用されている電子銃６７構体は、例えば図８に示すように、水平方向に一列配置された３本のカソードＫと、このカソードＫを加熱するヒータ（図示せず）及び電子ビーム６６Ｂ，６６Ｇ，６６Ｒの進行方向に、カソードＫ側から蛍光体スクリーン６３方向に順次配置された第１グリッド電極Ｇ１〜第８グリッド電極Ｇ８からなる複数個のグリッド電極を有し、これら各グリッド電極Ｇ１〜Ｇ８は、ビードガラスからなる絶縁支持体６９によって、所定の間隔でネック６５内に支持固定され、また第８グリッド電極Ｇ８にはコンバーゼンスカップＣＶが溶接されている。この電子銃６７の側面には、電子銃６７の長手方向に沿って管内用抵抗器７０が配設されている。
【０００６】
この各グリッド電極Ｇ１〜Ｇ８は、所定の電位となるようにバイアスされており、例えば第３グリッド電極Ｇ３と第５グリッド電極Ｇ５は共通に接続されて、抵抗器７０の中間部に設けた電圧供給端子Ｒ１から所定のフォーカス電圧が、また第４グリッド電極Ｇ４と第６グリッド電極Ｇ６が共通に接続され、この第４グリッド電極Ｇ４には、抵抗器７０の中間部に設けた他の電圧供給端子Ｒ２から２５〜３５ｋＶ程度の陽極電圧の約３５〜４５％程度に相当する電圧が供給され、また第７グリッド電極Ｇ７には、抵抗器７０の中間部に設けた他の電圧供給端子Ｒ３を介して陽極電圧の５０〜７０％程度に相当する電圧が供給され、第８グリッド電極Ｇ８には、また別の電圧供給端子Ｒ４及びコンバーゼンスカップＣＶを介して陽極電圧がそのまま印加されており、これら各グリッド電極Ｇ１〜Ｇ８によって、電子ビーム６６Ｂ，６６Ｇ，６６Ｒを蛍光体スクリーン６３上に集束する主レンズを含む複数の電子レンズとして形成している。また、抵抗器７０の一端は端子Ｒ５を介してアースされている。
【０００７】
このように構成された電子銃６７構体を動作させると、ネック６５及び絶縁支持体７０は、夫々ガラスからなる絶縁物質で構成されているために、各グリッド電極Ｇ１〜Ｇ８に印加される電圧によって、ネック６５内壁の表面に電荷が蓄積され、ネック６５内壁の表面電位は、第８グリッド電極Ｇ８近傍の電位が最も高く、順次第１グリッド電極Ｇ１近傍に向かうに従って低減する緩やかな電位分布勾配となっている。
【０００８】
この第８グリッド電極Ｇ８に印加される陽極電圧は、２５ＫＶ〜３５ＫＶにも達する極めて高い値の電位であり、第２グリッド電極Ｇ２等の低電位側の電極に不所望なバリのような突起や塵等が付着していると、その突起部や塵等に電界が集中して、電子放出の原因となって管内放電を起こし、カラー陰極線管の耐電圧特性が劣化し易くなる。
【０００９】
もし、このような管内放電現象が発生すると、瞬間的に流れる放電電流によってカラー陰極線管の品位を大幅に劣化させるばかりでなく、放電電流によって回路素子等を破壊させたりする致命的な損傷を与える一因ともなっている。
【００１０】
そこで、このような管内放電を防止する手段として、電子ビーム形成部である低電位側と主レンズ部を形成する高電位側との間の電極、例えば第５グリッド電極Ｇ５に、図９に示すように、サプレッサーリングと称される金属性リング７１を、絶縁支持体６９及び抵抗器７０を囲うように巻回して配設している。そしてネック６５の外部から高周波加熱によって高真空中で金属性リング７１を加熱して金属性リング７１の一部を蒸発させ、ネック６５内壁表面及び抵抗器７０の表面に金属蒸着膜７２を形成している。
【００１１】
このように構成することによって、ネック６５内壁表面の金属蒸着膜７２と金属性リング７１との静電誘導によって、これらの対応部分の蓄積電荷を減少させ、金属蒸着膜７２の形成されたネック６５内壁の表面電位を低下させることができ、動作中の管内放電を防止することができる。
【００１２】
また、電子銃６７構体は、より高性能化を図るために、絶縁支持体６９の側面に抵抗器７０を配設し、この抵抗器７０によって陽極電圧を抵抗分割し、電子レンズを構成する各グリッド電極Ｇ３〜Ｇ７に電圧を供給するように形成されている。この抵抗器７０には陽極電圧供給端子Ｒ４が設けられ、この電圧供給端子Ｒ４を介してグリッド電極Ｇ７、Ｇ４，Ｇ３等に電圧を供給する抵抗器７０の各端子Ｒ３，Ｒ２，Ｒ１と接続され、抵抗器７０のアース用端子Ｒ５はステムピン７３を介してアースされている。
【００１３】
【発明が解決しようとする課題】
しかしながら、このような抵抗器内蔵の電子銃６７構体においては、金属性リング７１が絶縁支持体６９と抵抗器７０を囲うように形成されるために、高周波加熱される金属性リング７１面は常に抵抗器７０と接している。そこで陰極線管の耐電圧特性を良好なものとするために、カラー陰極線管の製造工程での排気の終了の後に、通常の動作電圧の２〜３倍程度のピーク電圧（６０〜７０ｋＶ）を持つパルス状の交流電圧を印加することにより、強制的に放電させることによって、耐電圧の低下の原因となる電子銃６７を構成するグリッド電極Ｇ１〜Ｇ８及びコンバーゼンスカップＣＶのバリや付着物等を除去する耐電圧処理が施されている。
【００１４】
この高い交流電圧を印加すると、管内放電を防止するために用いられている金属性リング７１、あるいは抵抗器７０の低圧側との間で電界が発生し、これによってグロー放電が発生する場合がある。
【００１５】
即ち、耐電圧処理時には、コンバーゼンスカップＣＶに交流高電圧が印加され、金属性リング７１がアース電位となるために、抵抗器７０に分割電圧供給端子Ｒ３，Ｒ２，Ｒ１等が設けてある場合に、コンバーゼンスカップＣＶ等の高電位部分と金属性リング７１との間で電界が生じてグロー放電が発生する場合があり、このグロー放電は抵抗器７０を被覆している絶縁被膜（図示せず）の上層部を通って放電されている。
【００１６】
この時、金属性リング７１が抵抗器７０の表面に形成された金属蒸着膜７２と接触しているために、図１０に示すように、抵抗器７０のコンバーゼンスカップＣＶと接続されている端子Ｒ４が＋電極として、また金属性リング７１が−電極として機能し、両電極間には図中符号Ａで示すような電界が発生する。これによって図中符号Ｂで示す正コロナストリーマと図中符号Ｃで示す負のコロナストリーマによるグロー放電が抵抗器７０表面に沿って発生する。
【００１７】
この結果、図１１に示すように、金属性リング７１によって形成された抵抗器７０上の金属蒸着膜７２の界面ａと抵抗器７０の＋側の電界が到達している反対面ｂとの間で電位差が発生し、この間で抵抗器７０の絶縁破壊が発生する。
【００１８】
このような抵抗器７０の絶縁破壊が発生すると、正規の抵抗分割による分圧動作が行えなくなり、フォーカス不良等の障害を引起こしていた。
【００１９】
また、このように抵抗体７０の主面部分と金属性リング７１とを密接させないで、抵抗体７０の主面部分と金属性リング７１との間に隙間を設けた電子銃６７構体が、特開２００１−１５５６５９号公報に開示されている。この公報の図１０には、ビーディングガラス上に形成された分圧抵抗の主面と金属線との間に隙間を設けた電子銃構体が記載されている。
【００２０】
しかしながら、この公報に開示されている金属線は、分圧抵抗の主面とは隙間を設けて配置されているが、ビーディングガラスの側面及び分圧抵抗の側面とは接触されて配置されているために、その接触点はアース電位となるために、そのアース電位点に向かって分圧抵抗を貫通してグロー放電が発生し、同様に分圧抵抗の絶縁破壊を引起こしているもので、何等これらの対策が採られていないばかりか考慮もなされていないものである。
【００２１】
本発明は、このような課題に対処してなされたものであり、金属性リングを配設しても、耐電圧処理時にこの金属性リングに起因するグロー放電の発生を防止し、グロー放電による抵抗器の破壊に伴なうフォーカス不良の発生を防止し得る耐電圧特性を良好にした陰極線管を得ることを目的とする。
【００２２】
【課題を解決するための手段】
本発明は、略矩形状のフェースパネルと、このフェースパネルに連接する漏斗状のファンネルと、このフェースパネル内面に形成された蛍光体スクリーンと、ファンネルのネック内に配置され電子ビームを形成及び蛍光体スクリーン上に集束させる複数のグリッド電極を絶縁支持体によって保持するように構成された電子銃と、この電子銃の選択されたグリッド電極に分圧電圧を供給する絶縁支持体上に配設された抵抗器と、この抵抗器に略直交する方向に抵抗器及び絶縁支持体を囲むように配設された金属性リングとを有する陰極線管において、金属性リングを少なくとも抵抗器の対向する表面との間の全ての領域に亘って所定の間隔だけ離間させて配置するようにしている。
【００２３】
このように、金属性リングを使用しても、耐電圧処理時にこの金属性リングに起因するグロー放電の発生を抑制し、耐電圧特性を向上させた陰極線管を得ることができるものである。
【００２４】
【発明の実施の形態】
以下、本発明の実施の形態について図面を参照して詳細に説明する。
【００２５】
本発明に係る陰極線管は、図１に示すように構成されている。
【００２６】
即ち、略矩形状を呈するフェースパネル１１と、このフェースパネル１１に一体的に接合された漏斗状のファンネル１２からなる外囲器を有し、このフェースパネル１１の内面に、青、緑、赤に発光するストライプ状あるいはドット状の３色蛍光体層からなる蛍光体スクリーン１３が形成され、この蛍光体スクリーン１３に対向して、その内側に多数のアパーチャの形成されたシャドウマスク１４がマスクフレーム１５に取着され、このマスクフレーム１５は、弾性支持体１６及びスタッドピン１７を介してフェースパネル１１内側に装着され、このマスクフレーム１５には、磁気シールド板１８が取着されている。
【００２７】
一方、ファンネル１２のネック１９内には、３電子ビーム２０Ｂ，２０Ｇ，２０Ｒを放出する水平方向に一列に配列されたインライン型の電子銃２１が配設され、この電子銃２１から放出される３電子ビーム２０Ｂ，２０Ｇ，２０Ｒを、ファンネル１２の外側に装着された偏向ヨーク２２の発生する水平及び垂直偏向磁界によって偏向し、シャドウマスク１４を介して蛍光体スクリーン１３を水平、垂直走査することにより、蛍光体スクリーン１３上にカラー画像を表示するように構成されている。
【００２８】
このようなカラー陰極線管においては、特に電子銃２１が同一水平面上を通るセンタービーム２０Ｇ、及びその両側の一対のサイドビーム２０Ｂ，２０Ｒを放出するインライン型の電子銃２１として構成され、電子銃２１の主レンズ部分の低圧側と高圧側の電極のサイドビーム通過孔の位置を偏心させることによって、蛍光体スクリーン１３中央において３本の電子ビーム２０Ｂ，２０Ｇ，２０Ｒを集中させ、偏向ヨーク２２の発生する水平偏向磁界をピンクッション形に、また垂直偏向磁界をバレル形に構成することで、セルフコンバーゼンス方式のカラー陰極線管を構成している。
【００２９】
この電子銃２０構体は、図２及び図３に示すように、水平方向に一列配置された３本のカソードＫと、このカソードＫを加熱するヒータＨ、及びカソードＫから電子ビーム２０Ｂ，２０Ｇ，２０Ｒの進行方向に順次配置された第１グリッド電極Ｇ１〜第８グリッド電極Ｇ８からなる複数個のグリッド電極、並びにコンバーゼンスカップＣＶを有し、これら各グリッド電極Ｇ１〜Ｇ８は、ビードガラスからなる絶縁支持体２３によって、所定の間隔で支持固定されており、この絶縁支持体２３の側面には、絶縁支持体２３の長手方向に沿って抵抗器２４が配設され、この抵抗器２４の高圧側には第８グリッドＧ８と溶接されたコンバーゼンスカップＣＶに取着された導電スプリング２５を介して陽極電圧が供給される管内内壁に被着されているグラファイト導電膜２６から採り込んでいる陽極電圧がそのまま印加されるとともに、端子片２７を介して抵抗器２４の一端に供給されている。
【００３０】
これら各グリッド電極Ｇ１〜Ｇ８は、所定の電位となるようにバイアスされており、第１グリッド電極Ｇ１は接地もしくはマイナス電位に、第２グリッド電極Ｇ２には５００〜８００Ｖ程度の低電位の加速電圧が印加され、第３グリッド電極Ｇ３と第５グリッド電極Ｇ５は共通に接続されて、５ＫＶ〜１０ＫＶ程度のフォーカス電圧が抵抗器２４の端子２７を通して与えられている。
【００３１】
更に、第６グリッド電極Ｇ６には、抵抗器２４の中間部に設けた電圧供給端子２７を介して２５〜３５ＫＶ程度の陽極電圧の約３５〜４５％程度の電圧が供給され、また第７グリッド電極Ｇ７には、抵抗器２４の中間部に設けた電圧供給端子２７を介して陽極電圧の５０〜７０％程度の電圧が供給され、第８グリッドＧ８には、陽極電圧がそのまま印加され、抵抗器２４の他端にはアースピン２８に導くための端子２７が設けられ、これら各グリッド電極Ｇ１〜Ｇ８によって、電子ビーム１９を蛍光体スクリーン１３上に集束する主レンズを含む複数の電子レンズが形成されている。
【００３２】
このように抵抗器２４の中間部には、陽極電圧を抵抗分圧してバイアスを供給するための複数の電圧供給端子２７が設けられており、更に、図４に示すように、第５グリッド電極Ｇ５の外周上で、絶縁支持体２３及び抵抗器２４を囲むようにサプレッサーリングと称されている、例えば板厚０．１ｍｍ程度で幅１．０ｍｍ程度に形成されたテープ状の金属帯から構成されている金属性リング２９が所定の間隔Ｌだけ離間して非接触状態に配置される。
【００３３】
このように構成された電子銃２１をネック１９内に配設し、カラー陰極線管の製造工程において、この金属性リング２９を高周波加熱し、ネック１９の内壁面上、及び抵抗器２４の外表面上に金属蒸着膜（図示せず）を形成している。
【００３４】
このように金属蒸着膜を形成した陰極線管によれば、陰極線管を動作させると、各グリッド電極Ｇ１〜Ｇ８に印加される電圧によって、ネック１９内壁の表面電位は、ネック１９内壁表面に形成された金属蒸着膜と金属性リング２９との静電誘導によって、これらの対応部分のネック１９内壁の表面電位を低下させることができるので、陰極線管動作中の管内放電を防止することができる。
【００３５】
この金属性リング２９は、図４に示すように、その中間部分で絶縁支持体２３及び抵抗器２４のいずれにも接触しないように、所定の間隔Ｌをもって中間電極である、例えば第５グリッドＧ５の側面上に両端を溶接等によって固定されている。
【００３６】
このように金属性リング２９を装着して陰極線管の耐電圧処理を行うと、前述のように６０〜７０ｋＶ程度のパルス状の交流高電圧を印加して処理が行われるために、コンバーゼンスカップＣＶ側が＋電極となり、金属性リング２９側が−電極となって、この±電極間で電界が発生しグロー放電が発生した場合でも、この金属性リング２９は抵抗器２４、及び絶縁支持体２３から所定の間隔Ｌをもって離間配置されているので、金属蒸着膜はアース電位、即ち−電極を構成することがない。
【００３７】
従って、抵抗器２４の表面に沿ってグロー放電電流が流れたとしても、−電極を構成していない金属蒸着膜には流入せず、金属蒸着膜界面と抵抗器２４表面間での絶縁破壊の発生を抑制することが可能となる。そこで、この金属性リング２９と絶縁支持体２３及び抵抗器２４との間隔Ｌについて、特に金属性リング２９と抵抗器２４との間隔Ｌについて種々検討した結果、この間隔Ｌを０．００５ｍｍ〜２．０ｍｍの間に設定すると、最も効果的に絶縁破壊を防止できることが判明した。
【００３８】
即ち、この間隔Ｌを種々変更して実験をしたところ、図５に示すように、間隔Ｌを０．００５ｍｍ以上の大きさに設定すると、抵抗器２４の絶縁破壊が発生しないことが判明した。しかしながら、この間隔Ｌを２ｍｍ以上に設定すると、金属性リング２９がネック１９の内壁と接触するようになるため、ネック１９内壁内との蓄積電位との間で放電が発生し、図６に示すように、ネック１９の絶縁破壊が発生してネック１９自体が破壊することが判明した。これらの点から総合的に間隔Ｌは、０．００５ｍｍ≦Ｌ≦２．０ｍｍの範囲内に設定することで、抵抗器２４の絶縁破壊及びネック１９の絶縁破壊のいずれにも対処することが可能となった。
【００３９】
この間隔Ｌは、金属蒸着膜が形成される抵抗器２４の主面上との間で確保できれば、抵抗器２４の側面部分では厳密に設定する必要はなく、金属性リング２９と抵抗器２４との側面が接触しないように離間させておくだけで、抵抗器２４の絶縁破壊を防止し得ることも判明し、このため間隔Ｌを保つための抵抗器２４と金属性リング２９との配置が容易に行うことが可能である。勿論、この間隔Ｌを抵抗器２４及び絶縁支持体２３の金属性リング２９と対向する部分全ての領域で適用させれば、絶縁破壊の抑止効果をより一層向上させることができる。
【００４０】
この間隔Ｌを確保するためには、ネック１９の内径を大きくしたり、金属性リング２９や抵抗器２４、または絶縁支持体２３の厚みを薄くすることによって、あるいは電子銃２１自体の絶縁支持体２３方向の寸法を小さくする等の対応で達成することが可能であり、採用する陰極線管の管種に応じていずれかの対応、もしくはこれらの組合せによって対応することで達成することができる。
【００４１】
また、金属蒸着膜の厚さは数μｍ以下と極めて薄いものなので、実際の設計、製造時には、この金属蒸着膜の膜厚を無視できるため、抵抗器２４と金属性リング２９との間隔Ｌを設定することで、目的が達成されるものである。
【００４２】
なお、本発明はこれら実施の形態に限定されることなく、例えば電極構成が異なる電子銃形態の陰極線管等にも適用することが可能であり、また金属性リングを配置する場所も第５グリッド電極上に限らず、その他の電極上に配置することも可能等、その他種々の応用や変形が可能なことはいうまでもない。
【００４３】
【発明の効果】
以上述べてきたように、本発明によれば、耐電圧処理時に発生するグロー放電による金属性リングに起因して発生する抵抗器の絶縁破壊を未然に防止し、フォーカス不良等が発生することがない耐電圧特性を良好にした陰極線管を得ることができる。
【図面の簡単な説明】
【図１】本発明に係る陰極線管を示す断面図。
【図２】同じく陰極線管を構成する電子銃部分の構成を示す斜視図。
【図３】同じく電子銃部分の構成を示す縦断面図。
【図４】同じく電子銃部分の金属性リングと絶縁支持体及び抵抗器との配置関係を示す横断面図。
【図５】同じく金属性リングと抵抗器との間隔Ｌを変化させた場合の抵抗器の絶縁破壊発生率を示す特性図。
【図６】同じく金属性リングと抵抗器との間隔Ｌを変化させた場合のネックの絶縁破壊発生率を示す特性図。
【図７】従来の陰極線管を示す断面図。
【図８】同じく陰極線管を構成する電子銃部分の構成を示す縦断面図。
【図９】同じく電子銃部分の金属性リングと絶縁支持体及び抵抗器との配置関係を示す横断面図。
【図１０】同じく抵抗器の絶縁破壊の発生状態を説明するための説明図。
【図１１】同じく金属性リングによる抵抗器の絶縁破壊の発生状態を説明するための説明図。
【符号の説明】
１１：：フェースプレート
１２：ファンネル
１３：蛍光体スクリーン
１９：ネック
２０Ｂ，２０Ｇ，２０Ｒ：電子ビーム
２１：電子銃
２３：絶縁支持体
２４：抵抗器
２９：金属性リング
Ｇ１〜Ｇ８：グリッド電極
ＣＶ：コンバーゼンスカップ
【図１】
2004095284.tif 000003
【図２】
2004095284.tif 000004
【図３】
2004095284.tif 000005
【図４】
2004095284.tif 000006
【図５】
2004095284.tif 000007
【図６】
2004095284.tif 000008
【図７】
2004095284.tif 000009
【図８】
2004095284.tif 000010
【図９】
2004095284.tif 000011
【図１０】
2004095284.tif 000012
【図１１】
2004095284.tif 000013